(57)【要約】  ＷＤＭ信号の多様なチャンネル間隔に柔軟に適応できる光波長分離装置及び光波長分離方法を提供するために、光波長分離回路は、複数のチャンネルの光信号が多重された波長多重光信号を分岐する光カプラと、光カプラの出力ポート毎に配置され、光カプラの出力ポートから入力された波長多重光信号に含まれる光信号を中心周波数が隣接しないチャンネル毎に分離し、分離された光信号をそれぞれ異なる出力ポートから出力するバンドパスフィルタと、それぞれのバンドパスフィルタの出力ポートから入力される光信号の経路のいずれか１つを選択する光スイッチと、を備える。
2019021972.tif 000002
【特許請求の範囲】
【請求項１】
複数のチャンネルの光信号が多重された波長多重光信号を分岐する光カプラと、
前記光カプラの出力ポート毎に配置され、前記光カプラの出力ポートから入力された前記波長多重光信号に含まれる前記光信号を中心周波数が隣接しない前記チャンネル毎に分離し、分離された前記光信号をそれぞれ異なる出力ポートから出力するバンドパスフィルタと、
それぞれの前記バンドパスフィルタの出力ポートから入力される光信号の経路のいずれか１つを選択する光スイッチと、
を備える光波長分離回路。
【請求項２】
前記バンドパスフィルタの中心周波数及び前記バンドパスフィルタの帯域幅は、前記バンドパスフィルタに設定可能な最小単位の周波数並びに前記光信号の中心周波数及び前記光信号の帯域幅に基づいて設定される、
請求項１に記載された光波長分離回路。
【請求項３】
前記バンドパスフィルタの中心周波数及び前記バンドパスフィルタの帯域幅は、前記最小単位の周波数の倍数となるように設定される、
請求項２に記載された光波長分離回路。
【請求項４】
前記バンドパスフィルタの中心周波数及び前記バンドパスフィルタの帯域幅は、前記光信号の帯域を包含する、
請求項２又は３に記載された光波長分離回路。
【請求項５】
前記バンドパスフィルタは、前記バンドパスフィルタの中心周波数及び前記バンドパスフィルタの帯域幅を前記バンドパスフィルタの出力ポート毎に設定可能な波長選択スイッチである、請求項２乃至４のいずれかに記載された光波長分離回路。
【請求項６】
前記波長多重光信号に含まれる光信号の中心周波数及び帯域幅の情報及び前記光スイッチから出力される前記光信号の周波数の情報に基づいて前記中心周波数及び前記帯域幅を設定するとともに前記光スイッチを切り替える制御回路をさらに備える、
請求項１乃至５のいずれかに記載された光波長分離回路。
【請求項７】
請求項１乃至６のいずれかに記載された光波長分離回路と、
前記光波長分離回路から出力された、チャンネル毎に分離された光信号を、それぞれ、電気信号に変換する光電気変換回路と、を備える光受信器。
【請求項８】
請求項１乃至６のいずれかに記載された光波長分離回路と、
入力された電気信号をチャンネル毎に互いに中心波長が異なる光信号に変換して前記光波長分離回路の出力ポートへ出力する電気光変換回路と、を備え、
前記光波長分離回路は、前記光波長分離回路の出力ポートから入力された前記光信号を合波してＷＤＭ信号を生成する、
光送信器。
【請求項９】
光マトリクススイッチと、
前記光マトリクススイッチから出力された光信号を合波して波長多重光信号を出力するとともに、入力された波長多重光信号を分離して前記光マトリクススイッチへ出力する光合分波回路と、
第１の光波長分離回路と、
第２の光波長分離回路と、を備え、
前記第１及び第２の光波長分離回路は、請求項１乃至６のいずれかに記載された光波長分離回路であり、
前記第１の光波長分離回路は、入力された波長多重光信号をチャンネル毎に分離して前記光マトリクススイッチへ出力し、前記第２の光波長分離回路は、前記光マトリクススイッチから出力された光信号を合波し、合波して生成された波長多重光信号を外部へ出力する、光ノード。
【請求項１０】
複数のチャンネルの光信号が多重された波長多重光信号を分岐し、
分岐された前記波長多重光信号毎に、前記波長多重光信号に含まれる前記光信号を中心周波数が隣接しない前記チャンネル毎に分離し、
バンドパスフィルタを用いて前記チャンネル毎に分離された前記光信号を出力し、
前記分離された前記光信号が出力される複数の経路から１つを選択して出力する、
光波長分離方法。
【請求項１１】
前記バンドパスフィルタの中心周波数及び前記バンドパスフィルタの帯域幅を、前記バンドパスフィルタに設定可能な最小単位の周波数並びに前記光信号の中心周波数及び前記光信号の帯域幅に基づいて設定する、
請求項１０に記載された光波長分離方法。
【請求項１２】
前記バンドパスフィルタの中心周波数及び前記バンドパスフィルタの帯域幅を、前記最小単位の周波数の倍数となるように設定する、
請求項１１に記載された光波長分離方法。
【請求項１３】
前記バンドパスフィルタの中心周波数及び前記バンドパスフィルタの帯域幅は、前記光信号の帯域を包含するように設定される、
請求項１１又は１２に記載された光波長分離方法。
【請求項１４】
光波長分離回路のコンピュータに、
複数のチャンネルの光信号が多重された波長多重光信号を分岐する光カプラの出力ポート毎に配置されたバンドパスフィルタを、前記光カプラの出力ポートから入力された前記波長多重光信号に含まれる前記光信号を中心周波数が隣接しない前記チャンネル毎に分離し、分離された前記光信号をそれぞれ異なる出力ポートから出力するように制御する手順、
それぞれの前記バンドパスフィルタの出力ポートから入力される光信号の経路のいずれか１つを選択するように光スイッチを制御する手順、
を実行させるための光波長分離回路の制御プログラム、
を記録した記録媒体。
【発明の詳細な説明】
【技術分野】
【０００１】
本発明は、波長多重された光信号を分離する光波長分離装置及び光波長分離方法に関する。
【背景技術】
【０００２】
ＤＷＤＭ（Dense Wavelength Division Multiplexing）システムで用いられるキャリア周波数のグループは、「周波数グリッド」としてＩＴＵ−Ｔ勧告Ｇ．６９４．１に規定されている。周波数グリッドのチャンネル間隔には、例えば１００ＧＨｚ、５０ＧＨｚ、２５ＧＨｚ、１２．５ＧＨｚがある。一方、海底ケーブルシステムでは、周波数の利用効率を優先するためにＩＴＵ−Ｔ勧告にない４０ＧＨｚあるいは３３．３ＧＨｚのチャンネル間隔の周波数グリッドを用いてＤＷＤＭ伝送が行われる場合がある。ＩＴＵ−Ｔは、Telecommunication Standardization Sector of International Telecommunication Unionを意味する。【０００３】
本発明に関連して、特許文献１には、波長選択スイッチ（Wavelength Selective Switch、ＷＳＳ）の間に光スイッチが配された光クロスコネクトシステムが記載されている。
特許文献２には、ＷＳＳの前後にインターリーバが配された光伝送装置が記載されている。
【先行技術文献】
【特許文献】
【０００４】
【特許文献１】特開２００８−２５９１３２号公報
【特許文献２】特開２０１０−０９８５４５号公報
【発明の概要】
【発明が解決しようとする課題】
【０００５】
図１３は、一般的な光波長分離回路２０１の構成例を示す図である。光波長分離回路２０１は、１ポート入力、１０ポート出力のArrayed Waveguide Grating（１×１０  ＡＷＧ）である。ＡＷＧは、入力ポートと各出力ポートとの間の光路にバンドパスフィルタ特性を備えており、入力された波長多重光信号（以下、「ＷＤＭ信号」という。）から特定の波長の光信号（キャリア）を分離して出力する。また、近年、波長選択スイッチ（Wavelength Selective Switch、ＷＳＳ）が開発された。ＷＳＳは、入出力ポート間のバンドパスフィルタ特性を、所定の条件に基づいてポート毎に設定できる。例えば、１個の入力ポートと複数の出力ポートとの間のバンドパスフィルタの中心周波数を６．２５ＧＨｚ又は１２．５ＧＨｚのステップで可変できるＷＳＳが知られている。さらに、各出力ポートの帯域幅を６．２５ＧＨｚ又は１２．５ＧＨｚ単位で設定できるＷＳＳも知られている。ただし、ＷＳＳの各出力ポートのバンドパスフィルタの周波数範囲を重複させることはできない。【０００６】
ＷＤＭ信号の周波数グリッドが６．２５ＧＨｚ又は１２．５ＧＨｚで規定されている陸上のＷＤＭ伝送システムでは、ＡＷＧに代わってＷＳＳが光波長分離回路２０１として用いられることがある。しかしながら、海底ケーブルシステムにはチャンネル間隔が４０ＧＨｚ又は３３．３ＧＨｚの周波数グリッドを用いるシステムもある。このため、周波数の制御単位が６．２５ＧＨｚ又は１２．５ＧＨｚであるＷＳＳを用いると、バンドパスフィルタの中心周波数及び帯域幅が、チャンネル間隔が４０ＧＨｚ又は３３．３ＧＨｚのＷＤＭ信号に含まれる光信号の波長及び帯域幅と合わない場合がある。この場合、ＷＳＳはＷＤＭ信号に含まれる光信号を、スペクトルに影響を与えずに分離することができない。一方、ＷＳＳを制御単位が４０ＧＨｚであるＷＳＳ又は３３．３ＧＨｚであるＷＳＳに変更すると、それ以外のチャンネル間隔の周波数グリッドのＷＤＭ信号を好適に分離することができなくなる。また、ＷＳＳの制御単位を６．２５ＧＨｚよりも小さくすることによって５０ＧＨｚ、４０ＧＨｚ、３３．３ＧＨｚ、２５ＧＨｚ等の全てのチャンネル間隔に対応させようとすると、結局、制御単位が０．１ＧＨｚのＷＳＳが必要となる。しかし、このような細かい設定が可能なＷＳＳの実現は技術的に困難である。【０００７】
このような背景の下、ＷＤＭ信号の多様なチャンネル間隔に柔軟に適応できる光波長分離回路が求められている。しかしながら、特許文献１及び２は、このような要求を満たす技術を開示していない。【０００８】
（発明の目的）
本発明は、ＷＤＭ信号の多様なチャンネル間隔に柔軟に適応できる光波長分離装置及び光波長分離方法を実現するための技術を提供することを目的とする。
【課題を解決するための手段】
【０００９】
本発明の光波長分離回路は、
複数のチャンネルの光信号が多重された波長多重光信号を分岐する光カプラと、
前記光カプラの出力ポート毎に配置され、前記光カプラの出力ポートから入力された前記波長多重光信号に含まれる前記光信号を中心周波数が隣接しない前記チャンネル毎に分離し、分離された前記光信号をそれぞれ異なる出力ポートから出力するバンドパスフィルタと、
それぞれの前記バンドパスフィルタの出力ポートから入力される光信号の経路のいずれか１つを選択する光スイッチと、
を備える。【００１０】
本発明の光波長分離方法は、
複数のチャンネルの光信号が多重された波長多重光信号を分岐し、
分岐された前記波長多重光信号毎に、前記波長多重光信号に含まれる前記光信号を中心周波数が隣接しない前記チャンネル毎に分離し、
バンドパスフィルタを用いて前記チャンネル毎に分離された前記光信号を出力し、
前記分離された前記光信号が出力される複数の経路から１つを選択して出力する、
手順を含む。
【発明の効果】
【００１１】
本発明は、ＷＤＭ信号の多様なチャンネル間隔に柔軟に適応できる光波長分離装置及び光波長分離方法を提供する。
【図面の簡単な説明】
【００１２】
【図１】第１実施形態の光波長分離回路１００の構成例を示すブロック図である。
【図２】光波長分離回路１００に入力されるＷＤＭ信号の周波数グリッドの例を示す表である。
【図３】図２の周波数グリッドにおける、各チャンネルに対する理想的なバンドパスフィルタの設定例を示す表である。
【図４】チャンネル番号に対する、光波長分離回路１００の出力ポート番号及び光スイッチ１０４〜１１３の入力ポートの選択の例を示す表である。
【図５】チャンネル番号に対する、光波長分離回路１００の出力ポート番号及び光スイッチ１０４〜１１３の入力ポートの選択の例を示す表である。
【図６】チャンネル間隔が４０ＧＨｚの周波数グリッドのＷＤＭ信号が光波長分離回路１００に入力される場合のＷＳＳ１０２及び１０３のバンドパスフィルタの設定例を示す表である。
【図７】光波長分離回路１００の制御手順の例を示すフローチャートである。
【図８】チャンネル間隔が３３．３ＧＨｚの周波数グリッドにおける、各チャンネルに対する理想的なバンドパスフィルタの設定例を示す表である。
【図９】チャンネル間隔が３３．３ＧＨｚのＷＤＭ信号が光波長分離回路１００に入力される場合のＷＳＳ１０２及び１０３のバンドパスフィルタの設定例を示す表である。
【図１０】第２実施形態の光受信器３００の構成例を示すブロック図である。
【図１１】第３実施形態の光送信器４００の構成例を示すブロック図である。
【図１２】第４実施形態の光ノード５００の構成例を示すブロック図である。
【図１３】一般的な光波長分離回路２０１の構成例を示す図である。
【発明を実施するための形態】
【００１３】
以下の実施形態では、陸上のＷＤＭ伝送システムで主に用いられるチャンネル間隔に適合したＷＳＳを用いて、海底ケーブルシステム特有のチャンネル間隔のＷＤＭ信号を分離して出力する光波長分離回路について説明する。光波長分離回路では、例えばチャンネル間隔が５０ＧＨｚ、２５ＧＨｚ又は１２．５ＧＨｚの周波数グリッドの、陸上のＷＤＭ伝送システムに適合するＷＳＳが使用される。そして、光波長分離回路には、チャンネル間隔が４０ＧＨｚ又は３３．３ＧＨｚの周波数グリッドのＷＤＭ信号が入力される。光波長分離回路は、入力されたＷＤＭ信号を分離して、任意の出力ポートに任意の波長の光信号を出力する。光波長分離回路は、各出力ポート間で光信号の波長が競合しないように、ＷＤＭ信号を分離する。なお、以下の実施形態の各図の構成例に付された矢印は説明のために信号の方向を例示するものであり、信号の向きを限定しない。
【００１４】
（第１実施形態）
図１は、第１実施形態の光波長分離回路１００の構成例を示すブロック図である。光波長分離回路１００では、２個の１×１０  ＷＳＳ（波長選択スイッチ）が並列に配置される。一方のＷＳＳ（ＷＳＳ１０２）は、ＷＤＭ信号のチャンネル番号が奇数の光信号を分離するバンドパスフィルタとして設定される。他方のＷＳＳ（ＷＳＳ１０３）は、チャンネル番号が偶数の光信号を分離するバンドパスフィルタとして設定される。ＷＳＳ１０２及び１０３の出力に接続された１０台の２×１光スイッチ（光スイッチ１０４〜１１３）は、奇数番号のチャンネルと偶数番号のチャンネルとのいずれかを選択して出力する。このような構成を備える光波長分離回路は、１０本の光波長分離回路の任意のポートに、ポート間で波長が競合しない範囲で任意の波長を分離して出力することができる。
【００１５】
図２は、光波長分離回路１００に入力される波長多重光信号（ＷＤＭ信号）の周波数グリッドの例を示す表である。周波数グリッドは、ＷＤＭ信号を構成する光信号の中心周波数のグループである。図２に示される、中心周波数が１９３１００．０ＧＨｚから、周波数が低い方向へ４０ＧＨｚ間隔で並ぶチャンネル（Ｃｈ１〜１０）のＷＤＭ信号が、光波長分離回路１００の入力ポート（すなわち、光カプラ１０１の入力ポート１０）へ入力される。各チャンネルの光信号の帯域幅はチャンネル間隔と等しく、中心周波数に対して対称である。すなわち、図２では、各チャンネルの光信号の帯域は中心周波数の前後２０ＧＨｚである。
【００１６】
光波長分離回路１００に入力されたＷＤＭ信号は、光カプラ１０１の出力ポート１１と出力ポート１２に、等しい光パワーで分岐される。出力ポート１１から出力されるＷＤＭ信号はＷＳＳ１０２の入力ポート５２に入力される。出力ポート１２から出力されるＷＤＭ信号はＷＳＳ１０３の入力ポート５３に入力される。
【００１７】
ＷＳＳ１０２は、１０個の出力ポート２１〜３０を持つ。ＷＳＳ１０２の入力ポート５２と出力ポート２１〜３０のそれぞれとの間で、バンドパスフィルタの特性を設定できる。本実施形態では、ＷＳＳ１０２に設定できるバンドパスフィルタの中心周波数は１９３１００．０ＧＨｚを基準に１２．５ＧＨｚステップである。バンドパスフィルタに設定できる帯域幅も、１２．５ＧＨｚステップである。また、ＷＳＳ１０２の出力ポート２１〜３０のうち任意のポートの光出力を停止できる。本実施形態では、ＷＳＳ１０２は、ＷＤＭ信号に含まれるＣｈ１〜１０の光信号のうち、奇数チャンネル（Ｃｈ１、３、５、７、９）を分離して出力するように設定される。
【００１８】
ＷＳＳ１０３は、ＷＳＳ１０２と同様に、ＷＳＳ１０３の入力ポート５３と出力ポート３１〜４０のそれぞれとの間で、バンドパスフィルタの特性を設定できる。ＷＳＳ１０２と同様に、ＷＳＳ１０３も、バンドパスフィルタの中心周波数を１９３１００．０ＧＨｚを基準に１２．５ＧＨｚのステップで設定できる。また、バンドパスフィルタの帯域幅も１２．５ＧＨｚのステップで可変できる。そして、出力ポート３１〜４０のうち任意のポートの出力を停止できる。本実施形態では、ＷＳＳ１０３は、ＷＤＭ信号に含まれるＣｈ１〜１０の光信号のうち、偶数チャンネル（Ｃｈ２、４、６、８、１０）を分離して出力するように設定される。
【００１９】
光スイッチ１０４〜１１３は、２入力１出力の光スイッチ（２×１光スイッチ）である。ＷＳＳ１０２の出力ポート２１は光スイッチ１０４の入力ポート１に接続される。ＷＳＳ１０３の出力ポート３１は光スイッチ１０４の入力ポート２に接続される。光スイッチ１０４は、ＷＳＳ１０２の出力ポート２１及びＷＳＳ１０３の出力ポート３１から入力される光信号の一方を選択して、光波長分離回路１００の出力ポート４１から出力する。
【００２０】
同様に、ＷＳＳ１０２の出力ポート２２〜３０は光スイッチ１０５〜１１３の入力ポート１にそれぞれ接続される。ＷＳＳ１０３の出力ポート３２〜４０は光スイッチ１０５〜１１３の入力ポート２にそれぞれ接続される。そして、光スイッチ１０５〜１１３は、光スイッチ１０４と同様にＷＳＳ１０２とＷＳＳ１０３との一方の出力を選択して光波長分離回路１００の出力ポート４２〜５０から出力する。
【００２１】
制御端末１２０は、光波長分離回路１００の外部に配置される。制御端末１２０は例えばパーソナルコンピュータであり、通信回線によって制御部１１４と接続される。制御端末１２０は、光カプラ１０１に入力されるＷＤＭ信号の周波数グリッド情報（すなわち、Ｃｈ１〜Ｃｈ１０の中心周波数及び帯域幅の情報）、並びに光波長分離回路１００の出力ポート４１〜５０とＣｈ１〜１０との対応を制御部１１４にあらかじめ設定する。制御部１１４は、この情報に基づいてＷＳＳ１０２及びＷＳＳ１０３にバンドパスフィルタの設定情報（ＷＳＳ１０２及び１０３のバンドパスフィルタ情報及び出力ポート情報）を通知することで、バンドパスフィルタの設定を出力ポート毎に行う。ＷＳＳ１０２及びＷＳＳ１０３において、使用されない出力ポートは光信号が出力されないように設定される。制御部１１４は、さらに、光スイッチ１０４〜１１３のそれぞれに対して入力ポート１及び２のいずれを選択して出力するかの情報（切替情報）を通知することで光スイッチ１０４〜１１３の入力ポートを設定する。ＷＳＳ１０２、ＷＳＳ１０３及び光スイッチ１０４〜１１３は、制御部１１４からの指示に基づき、それぞれの機能を設定する。
【００２２】
制御部１１４の機能は、制御部１１４が備える電気回路により実現されてもよい。あるいは、制御部１１４が備える中央処理装置（central processing unit、ＣＰＵ）がプログラムを実行することにより制御部１１４の機能が実現されてもよい。プログラムは、固定された、一時的でない記録媒体に記録される。記録媒体としては半導体メモリ又は固定磁気ディスク装置が用いられるが、これらには限定されない。ＣＰＵは例えば制御部１１４に備えられるコンピュータであるが、光波長分離回路１００の内部の他の場所に備えられてもよい。
【００２３】
上述したＷＳＳ１０２及び１０３のバンドパスフィルタの設定変更及び光スイッチ１０４〜１１３の入力の切り替えによって、光波長分離回路１００は、任意の出力ポート４１〜５０に、ＷＤＭ信号から分離されたＣｈ１〜Ｃｈ１０の任意の光信号を出力できる。
【００２４】
（動作の説明）
ＷＳＳ１０２、ＷＳＳ１０３のバンドパスフィルタ及び出力ポートの設定と、光スイッチ１０４〜１１３における入力ポートの選択について説明する。外部の制御端末１２０は、Ｃｈ１〜Ｃｈ１０の中心周波数及び帯域幅（すなわち周波数グリッドの情報)、並びに光波長分離回路１００の出力ポート４１〜５０のそれぞれから出力される光信号のチャンネル番号の情報を制御部１１４に設定する。制御部１１４は周波数グリッドの情報からＷＳＳ１０２、ＷＳＳ１０３に設定するバンドパスフィルタの中心周波数並びに透過周波数の下限及び上限（透過開始周波数及び透過終了周波数）を計算する。
【００２５】
図３は、図２の周波数グリッドにおける、各チャンネルに対する理想的なバンドパスフィルタの設定例を示す表である。ＷＤＭ信号の周波数グリッドの間隔が４０ＧＨｚの場合、理想的なバンドパスフィルタの帯域幅は、中心周波数から±２０ＧＨｚになる。図３を参照すると、例えば、Ｃｈ１の光信号の中心周波数は１９３１００．０ＧＨｚであり、透過開始周波数は２０ＧＨｚ高い１９３１２０．０ＧＨｚ、透過終了周波数は２０ＧＨｚ低い１９３０８０．０ＧＨｚである。透過開始周波数はバンドパスフィルタの透過周波数の上限（透過波長の下限）であり、透過終了周波数は透過周波数の下限（透過波長の上限）である。すなわち、理想的にはバンドパスフィルタの中心周波数は光信号の中心周波数と等しく、帯域幅は周波数グリッドの間隔と等しい。しかし、ＷＳＳ１０２及び１０３のバンドパスフィルタに設定可能な中心周波数及び帯域幅は、ＷＳＳ１０２及び１０３に設定可能な周波数に依存する。このため、バンドパスフィルタの中心周波数及び帯域幅は、光波長分離回路１００に入力されるＷＤＭ信号の周波数グリッドにおける理想値とはならない場合がある。
【００２６】
そのため、本実施形態では、ＷＳＳ１０２を奇数チャンネルの光信号を出力するバンドパスフィルタとして設定する。バンドパスフィルタの中心周波数が奇数チャンネルの中心周波数と厳密に一致していなくても、透過開始周波数及び透過終了周波数が奇数チャンネルの光信号に必要な帯域を包含していれば、割り当てられた奇数チャンネルの光信号を透過させることができる。具体的には、制御部１１４はＷＳＳ１０２に対し、ＷＳＳ１０２の出力ポート２１〜３０のうち所定の５ポートにＣｈ１、Ｃｈ３、Ｃｈ５、Ｃｈ７、Ｃｈ９を透過させるバンドパスフィルタを設定すればよい。
【００２７】
同様に、ＷＳＳ１０３を偶数チャンネルの光信号を出力するバンドパスフィルタとして設定する。透過開始周波数及び透過終了周波数が偶数チャンネルの光信号に必要な帯域を包含していれば、割り当てられた偶数チャンネルの光信号を透過させることができる。具体的には、制御部１１４はＷＳＳ１０３に対し、ＷＳＳ１０３の出力ポート３１〜４０のうち所定の５ポートに、Ｃｈ２、Ｃｈ４、Ｃｈ６、Ｃｈ８、Ｃｈ１０を透過させるバンドパスフィルタを設定すればよい。ＷＳＳ１０２及び１０３の出力ポートとチャンネルとの対応は、制御端末１２０から設定された、出力ポート４１〜５０と出力されるチャンネルとの対応に基づいて設定される。
【００２８】
ここで、ＷＳＳ１０２を奇数チャンネル用、ＷＳＳ１０３を偶数チャンネル用とすることで、それぞれのＷＳＳにおいて、透過させる光信号の波長は周波数グリッド上で１つおきに設定される。このような設定により、ＷＳＳ１０２及び１０３に理想値よりも広い透過帯域が設定されたバンドパスフィルタの透過帯域内に他のチャンネルの光信号が含まれた場合でも、デジタルコヒーレント受信器が用いられる場合には受信するチャンネルのみを選択して受信できるため、信号が劣化することはない。さらに、奇数チャンネルと偶数チャンネルとで異なるＷＳＳを用いることで、ＷＳＳ１０２及び１０３がそれぞれにおいてバンドパスフィルタの周波数範囲を重複して設定できないという問題も回避される。
【００２９】
図４及び図５は、ＷＤＭ信号に含まれる光信号のチャンネル番号に対する、光波長分離回路１００の出力ポート番号及び光スイッチ１０４〜１１３の入力ポートの選択の例を示す表である。光波長分離回路１００の出力ポート４１〜５０と対応して、光スイッチ１０４〜１１３のそれぞれに選択位置が設定される。光スイッチ１０４〜１１３の設定は、制御部１１４に設定されたＣｈ１〜Ｃｈ１０の中心波長と光波長分離回路１００の出力ポート４１〜５０との関係によって定まる。
【００３０】
図４は、光波長分離回路１００の出力ポート４１〜５０がチャンネル番号の順に光信号を出力する例である。この場合、ＷＳＳ１０２の出力ポート２１、２３、２５、２７、２９は、それぞれＣｈ１、Ｃｈ３、Ｃｈ５、Ｃｈ７、Ｃｈ９の光信号を出力する。そして、ＷＳＳ１０３の出力ポート３２、３４、３６、３８、４０は、それぞれＣｈ２、Ｃｈ４、Ｃｈ６、Ｃｈ８、１０の光信号を出力する。さらに、光波長分離回路１００の出力ポート番号が奇数（４１、４３、４５、４７、４９）である光スイッチ１０４、１０６、１０８、１１０、１１２は、ＷＳＳ１０２側の入力ポート１を選択する。また、光波長分離回路１００の出力ポート番号が偶数（４２、４４、４６、４８、５０）である光スイッチ１０５、１０７、１０９、１１１、１１３は、ＷＳＳ１０３側の入力ポート２を選択する。
【００３１】
図５は、光波長分離回路１００の出力ポート４１〜４５にＣｈ１、３、５、７、９を割り当て、出力ポート４６〜５０にＣｈ２、４、６、８、１０を割り当てた例である。この場合、ＷＳＳ１０２の出力ポート２１、２２、２３、２４、２５は、それぞれＣｈ１、Ｃｈ３、Ｃｈ５、Ｃｈ７、Ｃｈ９の光信号を出力する。そして、ＷＳＳ１０３の出力ポート３６、３７、３８、３９、４０は、それぞれＣｈ２、Ｃｈ４、Ｃｈ６、Ｃｈ８、１０の光信号を出力する。さらに、光波長分離回路１００の出力ポート番号が４１〜４５である光スイッチ１０４〜１０８は、ＷＳＳ１０２側の入力ポート１を選択する。また、光波長分離回路１００の出力ポート番号が４６〜５０である光スイッチ１０９〜１１３は、ＷＳＳ１０３側の入力ポート２を選択する。
【００３２】
（バンドパスフィルタの設定の計算手順）
図６は、チャンネル間隔が４０ＧＨｚの周波数グリッドのＷＤＭ信号が光波長分離回路１００に入力される場合のＷＳＳ１０２及び１０３のバンドパスフィルタの設定例を示す表である。ＷＳＳ１０２及び１０３のバンドパスフィルタの透過周波数の計算方法について周波数グリッドのチャンネル間隔が４０ＧＨｚである場合を例として説明する。図６では、ＷＳＳ１０２は奇数チャンネルの光信号を分離して出力し、ＷＳＳ１０３は偶数チャンネルの光信号を分離して出力する。図４及び図５で説明したように、ＷＳＳ１０２及び１０３における各チャンネルの出力ポートは光波長分離回路１００の出力ポートの設定により定まるため、図６では出力ポートは示されていない。以下では、ＷＳＳ１０２及び１０３を総称してＷＳＳと記載する。
【００３３】
（１）中心周波数の設定
バンドパスフィルタに設定される中心周波数として、透過させる光信号の中心周波数に最も近く、かつ、ＷＳＳに設定可能な周波数が選択される。本実施形態では、ＷＳＳのバンドパスフィルタに設定可能な中心周波数は、１９３１００．０ＧＨｚを基準に１２．５ＧＨｚステップの周波数であるとする。従って、透過させる光信号の周波数（ＧＨｚ）に最も近い１２．５の倍数が、中心周波数（ＧＨｚ）として設定される。例えば、Ｃｈ５の光信号の中心周波数は図６に示すように１９２９４０．０ＧＨｚである。従って、Ｃｈ５の光信号を透過させるバンドパスフィルタの中心周波数は１９２９３７．５（＝１２．５×１５４３５）ＧＨｚに設定される。他のチャンネルのバンドパスフィルタの中心周波数も同様に計算される。
【００３４】
（２）透過開始周波数の算出
透過開始周波数は、同一のＷＳＳに設定される隣接する短波長側（高周波側）のチャンネルのバンドパスフィルタの中心周波数とのちょうど中間の周波数に最も近く、かつ、その周波数よりも高い、１２．５ＧＨｚステップの周波数とする。例えば、ＷＳＳ１０２に設定されるＣｈ５に隣接する高周波側のチャンネルはＣｈ３であり、Ｃｈ３のバンドパスフィルタの中心周波数は１９３０２５．０ＧＨｚである。従って、Ｃｈ３とＣｈ５との中間の周波数は１９２９８１．２５ＧＨｚである。この周波数よりも低く最も近い１２．５の倍数は１９２９７５．０であるので、Ｃｈ５の透過開始周波数は１９２９７５．０ＧＨｚとなる。
【００３５】
（３）透過終了周波数の算出
透過終了周波数は、同一のＷＳＳに設定される隣接する長波長側（低周波側）のチャンネルのバンドパスフィルタの中心周波数とのちょうど中間の周波数に最も近く、かつ、その周波数よりも高い、１２．５ＧＨｚステップの周波数とする。例えば、ＷＳＳ１０２においてＣｈ５に隣接して設定される低周波側のチャンネルはＣｈ７であり、そのバンドパスフィルタの中心周波数は１９２８６２．５ＧＨｚである。従って、Ｃｈ５とＣｈ７との中間の周波数は１９２９００．０ＧＨｚである。この周波数は１２．５の倍数であるので、Ｃｈ５の透過終了周波数は１９２９００．０ＧＨｚとなる。
【００３６】
図６には、上記（１）〜（３）の手順によって計算された、バンドパスフィルタの設定周波数が示される。図３に示した理想的なバンドパスフィルタの設定と比較して、図６の各チャンネルのバンドパスフィルタの透過帯域は図３の各チャンネルの透過帯域を包含する。このため、図６の設定を用いても、各チャンネルの光信号のスペクトルはバンドパスフィルタによる減衰を受けない。
【００３７】
バンドパスフィルタの設定について、数式を用いて説明する。
光信号の中心周波数をｆｓ（ＧＨｚ）、
ｘを小数点以下ｙ桁に四捨五入する関数をＲＯＵＮＤ（ｘ，ｙ）、
ｘを小数点以下ｙ桁までで切り捨てた値で示す関数をＲＯＵＮＤＤＯＷＮ（ｘ，ｙ）、
同一のＷＳＳ内における、光信号を透過させる隣接するチャンネル間のバンドパスフィルタの中心周波数間隔をｆｂ、
ＷＳＳのバンドパスフィルタの中心周波数をｆｃ（ＧＨｚ）、
透過開始周波数をｆ１、
透過終了周波数をｆ２、
で示すと、上記（１）〜（３）の計算は以下の式１〜式３で与えられる。なお、ＷＳＳを２台使用し、周波数グリッドのチャンネル間隔が４０ＧＨｚである本実施形態の構成では、同一ＷＳＳ内の隣接チャンネル間隔であるｆｂは８０ＧＨｚである。
【００３８】
ｆｃ＝ＲＯＵＮＤ（ｆｓ÷１２．５，０）×１２．５・・・（式１）
ｆ１＝ｆｃ＋１２．５×ＲＯＵＮＤＤＯＷＮ（ｆｂ÷２÷１２．５，０）・・（式２）
ｆ２＝ｆｃ−１２．５×ＲＯＵＮＤＤＯＷＮ（ｆｂ÷２÷１２．５，０）・・（式３）
式１は、ｆｃに最も近い１２．５の倍数を求める式である。式２及び式３は、隣接チャンネルとのちょうど中間の周波数のすぐ内側までを透過帯域とするように透過開始周波数ｆ１及び透過終了周波数ｆ２を求める式である。本実施形態ではｙ＝０であり、ＲＯＵＮＤ（ｘ，０）はｘの小数点第１位を四捨五入した整数値を示し、ＲＯＵＮＤＤＯＷＮ（ｘ，０）はｘの小数点以下を切り捨てた整数値を示す。
【００３９】
式２及び式３によれば、透過帯域幅は最大でｆｂ、すなわち光信号の帯域幅の２倍となる。具体的な計算例である図６を参照すると、バンドパスフィルタに設定される透過帯域幅はＣｈ５で７５ＧＨｚ（１９２９００．０ＧＨｚ〜１９２９７５．０ＧＨｚ）であり、光信号の帯域幅（４０ＧＨｚ）に対してかなり広い。バンドパスフィルタの透過帯域幅は光信号の中心周波数に対して±２０ＧＨｚ以上あればよいため、バンドパスフィルタの透過帯域幅が上記の範囲より狭くなるように透過開始周波数ｆ１及び透過終了周波数ｆ２が設定されてもよい。例えば、Ｃｈ５の透過開始周波数ｆ１を１９２９６２．５ＧＨｚ、透過終了周波数ｆ２を１９２９１２．５ＧＨｚ（すなわち、１９２９３７．５±２５ＧＨｚ）としてもよい。このような設定でも、周波数範囲が１９２９４０．０±２０ＧＨｚのＣｈ５の光信号を透過させることができる。いいかえれば、周波数グリッドのチャンネル間隔をｆｇ（４０ＧＨｚ）とすると、透過開始周波数ｆ１及び透過終了周波数ｆ２は以下の式４及び式５から求めてもよい。
【００４０】
ｆ１≧ｆｃ＋（ｆｇ÷２）・・・（式４）
ｆ２≦ｆｃ−（ｆｇ÷２）・・・（式５）
ただし、式４及び式５で求めた透過開始周波数ｆ１及び透過終了周波数ｆ２も、バンドパスフィルタの透過周波数の範囲が式２及び式３で求めたｆ１、ｆ２による範囲を超えないように決める必要がある。
【００４１】
図７は、第１実施形態における光波長分離回路１００の制御手順の例を示すフローチャートである。制御部１１４は、入力されるＷＤＭ信号の周波数グリッドの情報を制御端末１２０から読み込む（図７のステップＳ０１）。続いて、未設定のチャンネルに対して、ＷＳＳ１０２又はＷＳＳ１０３の中心周波数ｆｃを求めて設定する（ステップＳ０２）。
そして、透過開始周波数ｆ１を求めて設定し（ステップＳ０３）、透過終了周波数ｆ２を求めて設定する（ステップＳ０４）。ステップＳ０３とＳ０４との順序は逆でもよく、あるいはこれらは並行して実行されてもよい。ＷＳＳへの設定は、全チャンネルあるいは全ＷＳＳの計算が終了してから行われてもよい。ステップＳ０２〜Ｓ０４において、式１〜式３を用いて周波数を計算することができる。
【００４２】
設定の対象となっているＷＳＳにおいてチャンネルの設定が終了していなければ（ステップＳ０５：ＮＯ）、未設定のチャンネルが計算の対象として選択される（ステップＳ０６）。この場合、選択されたチャンネルについて、バンドパスフィルタの中心周波数ｆｃ、透過開始周波数ｆ１、透過終了周波数ｆ２の計算及び設定を継続する。全てのチャンネルの計算及び設定の終了後（ステップＳ０５：ＹＥＳ）、未設定のＷＳＳがある場合には（ステップＳ０７：ＮＯ）、当該ＷＳＳが選択されて、ステップＳ０２〜Ｓ０５の手順が実行される。
【００４３】
全てのＷＳＳの設定が終了すると（ステップＳ０７：ＹＥＳ）、例えば図４又は図５の「スイッチ選択位置」の設定に基づいて光スイッチ１０４〜１１３の入力ポートが切り替えられる（ステップＳ０９）。
【００４４】
以上では、チャンネル間隔が４０ＧＨｚの周波数グリッドのＷＤＭ信号を分離する場合のＷＳＳ１０２及び１０３の設定について説明した。しかし、上記の設定手順はチャンネル間隔が４０ＧＨｚの場合以外にも適用できる。
【００４５】
図８は、チャンネル間隔が３３．３ＧＨｚの周波数グリッドにおける、各チャンネルに対する理想的なバンドパスフィルタの設定例を示す表である。いずれのチャンネルも、透過帯域幅は３３．３ＧＨｚである。
【００４６】
図９は、チャンネル間隔が３３．３ＧＨｚのＷＤＭ信号が光波長分離回路１００に入力される場合のＷＳＳ１０２及び１０３のバンドパスフィルタの設定例を示す表である。チャンネル間隔が３３．３ＧＨｚの場合も、ｆｇ＝３３．３ＧＨｚ（すなわちｆｂ＝６６．６ＧＨｚ）とすることで、式１〜式３を用いてバンドパスフィルタの設定値を求めることができる。図８の理想的な設定値と比較して、図９の設定値ではバンドパスフィルタの透過帯域は、図８に示した透過帯域を包含する。このため、図９の設定を用いても、各チャンネルの光信号のスペクトルはバンドパスフィルタによる減衰を受けない。
【００４７】
以上説明したように、光波長分離回路１００は、２台のＷＳＳ（ＷＳＳ１０２及び１０３）を備える。ＷＳＳ１０２は周波数グリッドの奇数チャンネルの光信号を任意の出力ポートから出力し、ＷＳＳ１０３は偶数チャンネルの光信号を任意の出力ポートから出力する。ここで、ＷＳＳ１０２及び１０３は、各ＷＳＳに設定される出力ポートの透過帯域幅を、１チャンネルの帯域幅以上、１チャンネルの帯域幅の２倍以下で設定する。これにより、ＷＳＳ１０２及び１０３の出力ポートに設定された中心周波数と当該ポートを通過する光信号の中心周波数とが一致しない場合でも、当該光信号を、スペクトルに影響を与えることなく通過させることができる。また、ＷＳＳにおいて隣接して設定されるチャンネル間で通過帯域の重なりを防ぐことができる。
【００４８】
さらに、光波長分離回路１００は、ＷＳＳ１０２及び１０３の出力を光スイッチ１０４〜１１３で選択する。この結果、入力されたＷＤＭ信号（Ｃｈ１〜１０）を、光波長分離回路１００の任意の出力ポートから出力させることができる。
【００４９】
（第１実施形態の変形例）
図１では、ＷＳＳ１０２が奇数チャンネルの光信号を出力し、ＷＳＳ１０３が偶数チャンネルの光信号を出力する光波長分離回路１００について説明した。しかし、３個以上のＷＳＳを用いて、ＷＤＭ信号を３組以上のチャンネルに分割してもよい。例えば、光波長分離回路は、中心周波数が異なるＣｈ１〜Ｃｈ１２の光信号を含む周波数グリッドのＷＤＭ信号が１×３光カプラで３分岐され、それぞれが第１、第２、第３のＷＳＳに入力される構成を備えてもよい。例えば、第１のＷＳＳは「Ｃｈ１、４、７、１０」の光信号を出力し、第２のＷＳＳが「Ｃｈ２、５、８、１１」の光信号を出力し、第３のＷＳＳが「Ｃｈ３、６、９、１２」の光信号を出力する。そして、光波長分離回路の出力に並列に備えられた１２台の３×１光スイッチのそれぞれが、第１〜第３のＷＳＳの出力のいずれかを選択して出力してもよい。
【００５０】
この場合、制御部１１４は、Ｃｈ１〜Ｃｈ１２を１２台の光スイッチのどのポートから出力するかの情報と、Ｃｈ１〜Ｃｈ１２の周波数グリッドの情報とに基づいて、第１から第３のＷＳＳのバンドパスフィルタ及び光スイッチの設定を行う。バンドパスフィルタの設定手順は、図１の光波長分離回路１００の手順を準用できる。すなわち、各ＷＳＳにおいて、透過させるチャンネルの光信号の中心周波数に近い中心周波数をバンドパスフィルタの中心周波数に設定し、透過開始周波数及び透過終了周波数を、透過させるチャンネルの光信号の帯域よりも広くなるように設定する。
【００５１】
一般に、Ｎ個（Ｎは２以上の整数）のＷＳＳを用いてＷＤＭ信号を分離する場合には、ＷＳＳはＮ個並列に配置される。そして、ＷＳＳの出力にはＮ×１光スイッチが並列に配置され、Ｎ個のＷＳＳの出力のいずれかを選択して光波長分離回路から出力する。光スイッチの並列数は、同時に出力される最大のチャンネル数である。
【００５２】
以上の説明では周波数グリッドのチャンネル間隔が４０ＧＨｚ又は３３．３ＧＨｚの場合について説明した。しかし、式１〜式５は、チャンネル間隔が他の値である周波数グリッド（例えば５０ＧＨｚ、３７．５ＧＨｚ又は２５ＧＨｚ）にも適用できる。また、ＷＳＳに設定可能な周波数の最小単位が１２．５ＧＨｚ以外の場合には、式１〜式３の「１２．５」を対応する値に置き換えることで、ＷＳＳのバンドパスフィルタに設定される周波数を求めることができる。
【００５３】
（効果の説明）
光波長分離回路１００は、ＷＳＳ１０２及び１０３に設定可能な周波数以外の周波数の光信号を含むＷＤＭ信号であっても、光信号を分離して出力できる。このような構成を備える光波長分離回路１００は、ＷＳＳに設定可能な周波数グリッドとはチャンネル間隔が異なる周波数グリッドが採用された光海底伝送システムに適用可能である。
【００５４】
また、周波数グリッドの間隔は、上記の例に限定されない。例えば、周波数グリッドの間隔が５０ＧＨｚ、３７．５ＧＨｚ、３３．３ＧＨｚ、２５ＧＨｚであっても各部の設定手順は同様である。このような場合でも、周波数グリッドの情報及び光波長分離回路１００の出力ポートとチャンネルとの関係に基づいてＷＳＳ及び光スイッチを設定することにより、光波長分離回路１００の任意の出力ポートに任意のチャンネルを分離して出力できる。
【００５５】
なお、上記の効果を奏する光波長分離回路１００は、以下の最小構成としても表現できる。すなわち、光波長分離回路１００は、光カプラ１０１と、ＷＳＳ１０２及び１０３と、光スイッチ１０４〜１１３とを備える。光カプラ１０１は、複数のチャンネルの光信号が多重されたＷＤＭ信号を分岐する。ＷＳＳ１０２及び１０３は光カプラ１０１の出力ポート毎に配置され、バンドパスフィルタとして機能する。ＷＳＳ１０２及び１０３は、光カプラ１０１の出力ポートから入力されたＷＤＭ光信号に含まれる光信号を中心周波数が隣接しないチャンネル毎に分離して、分離された光信号をそれぞれ異なる出力ポートから出力する。光スイッチ１０４〜１１３は、ＷＳＳ１０２及び１０３の出力ポートから入力される光信号の経路のいずれか１つを選択する。
【００５６】
（第２実施形態）
図１０は、本発明の第２実施形態の光受信器３００の構成例を示すブロック図である。
光受信器３００は、光電気変換回路３０１と、第１実施形態で説明した光波長分離回路１００と、を備える。光電気変換回路３０１は、光波長分離回路１００から出力された、チャンネル毎に分離された光信号を、それぞれ、電気信号に変換する。光電気変換回路３０１は、フォトダイオードなどの受光素子と、受光素子から出力される電気信号を増幅する増幅器を備えてもよい。
【００５７】
このような構成を備える光受信器３００は、光電気変換回路３０１と第１実施形態の光波長分離回路１００とを備えることにより、ＷＤＭ信号をチャンネル毎に分離して、その信号を電気信号として出力することができる。そして、光受信器３００は、ＷＤＭ信号の多様なチャンネル間隔に柔軟に適応できるという、第１実施形態と同様の効果を奏する。
【００５８】
（第３実施形態）
図１１は、本発明の第３実施形態の光送信器４００の構成例を示すブロック図である。
光送信器４００は、電気光変換回路４０１と、第１実施形態で説明した光波長分離回路１００と、を備える。電気光変換回路４０１は、例えば、半導体レーザダイオード等の発光素子であり、入力された電気信号を所定のチャンネル間隔の周波数グリッドの光信号に変換し、光波長分離回路１００の出力ポートへ出力する。
【００５９】
第１実施形態で説明した光波長分離回路１００を構成するそれぞれの光部品は、透過する光信号の向きにかかわらず機能する。従って、光波長分離回路１００は、出力ポート４１〜５０から入力された互いに中心波長が異なる光信号を合波して、ＷＤＭ信号を生成することができる。この場合、光波長分離回路１００の光スイッチ１０４〜１１３、ＷＳＳ１０２及びＷＳＳ１０３は、例えば、出力ポートに入力された光信号の奇数チャンネルがＷＳＳ１０２に入力され、偶数チャンネルがＷＳＳ１０３に分配されるように設定される。
【００６０】
光送信器４００は、電気光変換回路４０１と第１実施形態の光波長分離回路１００とを備えることにより、電気光変換回路４０１が生成した光信号を波長分離回路で合波してＷＤＭ信号として出力することができる。そして、電気光変換回路４０１から入力される光信号のチャンネル間隔がＷＳＳ１０２及び１０３に設定可能なチャンネル間隔以外の周波数であっても、光信号を分離して出力できる。すなわち、光送信器４００は、多様なチャンネル間隔の光信号を合波してＷＤＭ信号を生成できるという効果を奏する。
【００６１】
（第４実施形態）
図１２は、本発明の第４実施形態の光ノード５００の構成例を示すブロック図である。
光ノード５００は、光マトリクススイッチ５０１と、光合分波回路５０２と、第１実施形態で説明した光波長分離回路１００と、を備える。光マトリクススイッチ５０１は、入力された複数の光信号の出力先を切り替えることができる周知の光部品である。
【００６２】
図１２の左側の光波長分離回路１００（第１の光波長分離回路）は、光ノード５００の外部から入力されたＷＤＭ信号を分離して光マトリクススイッチ５０１へ出力する。図１２の右側の光波長分離回路１００（第２の光波長分離回路）は、光マトリクススイッチ５０１から出力された光信号を合波し、合波したＷＤＭ信号を光ノード５００の外部へ出力する。
【００６３】
光合分波回路５０２は、光マトリクススイッチ５０１から出力された光信号を合波し、合波したＷＤＭ信号を光ノード５００の外部へ出力するとともに、光ノード５００の外部から入力されたＷＤＭ信号を分離して光マトリクススイッチ５０１へ出力する。
【００６４】
本実施形態の光ノード５００は、光波長分離回路１００をＷＤＭ信号の分離又は合成に用いることで、多様なチャンネル間隔の光信号が用いられる光伝送システムに柔軟に対応できる。
【００６５】
なお、光合分波回路５０２を２台の光波長分離回路１００に置き換え、一方を光マトリクススイッチ５０１から出力される光信号の合波に用い、他方を外部から入力されるＷＤＭ信号の分波に用いてもよい。この構成により、光合分波回路５０２を介して入出力される光信号のチャンネル間隔に対しても柔軟な設定が可能となる。
【００６６】
なお、本発明の実施形態は以下の付記のようにも記載されうるが、これらには限定されない。
【００６７】
（付記１）
複数のチャンネルの光信号が多重された波長多重光信号を分岐する光カプラと、
前記光カプラの出力ポート毎に配置され、前記光カプラの出力ポートから入力された前記波長多重光信号に含まれる前記光信号を中心周波数が隣接しない前記チャンネル毎に分離し、分離された前記光信号をそれぞれ異なる出力ポートから出力するバンドパスフィルタと、
それぞれの前記バンドパスフィルタの出力ポートから入力される光信号の経路のいずれか１つを選択する光スイッチと、
を備える光波長分離回路。
【００６８】
（付記２）
前記バンドパスフィルタの中心周波数及び前記バンドパスフィルタの帯域幅は、前記バンドパスフィルタに設定可能な最小単位の周波数並びに前記光信号の中心周波数及び前記光信号の帯域幅に基づいて設定される、
付記１に記載された光波長分離回路。
【００６９】
（付記３）
前記バンドパスフィルタの中心周波数及び前記バンドパスフィルタの帯域幅は、前記最小単位の周波数の倍数となるように設定される、
付記２に記載された光波長分離回路。
【００７０】
（付記４）
前記バンドパスフィルタの中心周波数及び前記バンドパスフィルタの帯域幅は、前記光信号の帯域を包含する、
付記２又は３に記載された光波長分離回路。
【００７１】
（付記５）
前記バンドパスフィルタは、前記バンドパスフィルタの中心周波数及び前記バンドパスフィルタの帯域幅を前記バンドパスフィルタの出力ポート毎に設定可能な波長選択スイッチである、付記２乃至４のいずれかに記載された光波長分離回路。
【００７２】
（付記６）
前記波長多重光信号に含まれる光信号の中心周波数及び帯域幅の情報及び前記光スイッチから出力される前記光信号の周波数の情報に基づいて前記中心周波数及び前記帯域幅を設定するとともに前記光スイッチを切り替える制御回路をさらに備える、
付記１乃至５のいずれかに記載された光波長分離回路。
【００７３】
（付記７）
付記１乃至６のいずれかに記載された光波長分離回路と、
前記光波長分離回路から出力された、チャンネル毎に分離された光信号を、それぞれ、電気信号に変換する光電気変換回路と、を備える光受信器。
【００７４】
（付記８）
付記１乃至６のいずれかに記載された光波長分離回路と、
入力された電気信号をチャンネル毎に互いに中心波長が異なる光信号に変換して前記光波長分離回路の出力ポートへ出力する電気光変換回路と、を備え、
前記光波長分離回路は、前記光波長分離回路の出力ポートから入力された前記光信号を合波してＷＤＭ信号を生成する、
光送信器。
【００７５】
（付記９）
光マトリクススイッチと、
前記光マトリクススイッチから出力された光信号を合波して波長多重光信号を出力するとともに、入力された波長多重光信号を分離して前記光マトリクススイッチへ出力する光合分波回路と、
第１の光波長分離回路と、
第２の光波長分離回路と、を備え、
前記第１及び第２の光波長分離回路は、付記１乃至６のいずれかに記載された光波長分離回路であり、
前記第１の光波長分離回路は、入力された波長多重光信号をチャンネル毎に分離して前記光マトリクススイッチへ出力し、前記第２の光波長分離回路は、前記光マトリクススイッチから出力された光信号を合波し、合波して生成された波長多重光信号を外部へ出力する、光ノード。
【００７６】
（付記１０）
複数のチャンネルの光信号が多重された波長多重光信号を分岐し、
分岐された前記波長多重光信号毎に、前記波長多重光信号に含まれる前記光信号を中心周波数が隣接しない前記チャンネル毎に分離し、
バンドパスフィルタを用いて前記チャンネル毎に分離された前記光信号を出力し、
前記分離された前記光信号が出力される複数の経路から１つを選択して出力する、
光波長分離方法。
【００７７】
（付記１１）
前記バンドパスフィルタの中心周波数及び前記バンドパスフィルタの帯域幅を、前記バンドパスフィルタに設定可能な最小単位の周波数並びに前記光信号の中心周波数及び前記光信号の帯域幅に基づいて設定する、
付記１０に記載された光波長分離方法。
【００７８】
（付記１２）
前記バンドパスフィルタの中心周波数及び前記バンドパスフィルタの帯域幅を、前記最小単位の周波数の倍数となるように設定する、
付記１１に記載された光波長分離方法。
【００７９】
（付記１３）
前記バンドパスフィルタの中心周波数及び前記バンドパスフィルタの帯域幅は、前記光信号の帯域を包含するように設定される、
付記１１又は１２に記載された光波長分離方法。
【００８０】
（付記１４）
光波長分離回路のコンピュータに、
複数のチャンネルの光信号が多重された波長多重光信号を分岐する光カプラの出力ポート毎に配置されたバンドパスフィルタを、前記光カプラの出力ポートから入力された前記波長多重光信号に含まれる前記光信号を中心周波数が隣接しない前記チャンネル毎に分離し、分離された前記光信号をそれぞれ異なる出力ポートから出力するように制御する手順、
それぞれの前記バンドパスフィルタの出力ポートから入力される光信号の経路のいずれか１つを選択するように光スイッチを制御する手順、
を実行させるための光波長分離回路の制御プログラム。
【００８１】
以上、実施形態を参照して本発明を説明したが、本発明は上記の実施形態に限定されない。本発明の構成や詳細には、本発明のスコープ内で当業者が理解し得る様々な変更をすることができる。
【００８２】
また、それぞれの実施形態に記載された構成は、必ずしも互いに排他的なものではない。本発明の作用及び効果は、上述の実施形態の全部又は一部を組み合わせた構成によって実現されてもよい。
この出願は、２０１７年７月２８日に出願された日本出願特願２０１７−１４６８８８を基礎とする優先権を主張し、その開示の全てをここに取り込む。
【符号の説明】
【００８３】
１００  光波長分離回路
１０１  光カプラ
１０４〜１１３  光スイッチ
１１４  制御部
１２０  制御端末
２０１  光波長分離回路
３００  光受信器
３０１  光電気変換回路
４００  光送信器
４０１  電気光変換回路
５００  光ノード
５０１  光マトリクススイッチ
５０２  光合分波回路
【図１】
2019021972.tif 000003
【図２】
2019021972.tif 000004
【図３】
2019021972.tif 000005
【図４】
2019021972.tif 000006
【図５】
2019021972.tif 000007
【図６】
2019021972.tif 000008
【図７】
2019021972.tif 000009
【図８】
2019021972.tif 000010
【図９】
2019021972.tif 000011
【図１０】
2019021972.tif 000012
【図１１】
2019021972.tif 000013
【図１２】
2019021972.tif 000014
【図１３】
2019021972.tif 000015
【国際調査報告】
2019021972.tif 000016
2019021972.tif 000017